(57)【要約】【課題】画像とともに表示される撮影情報を任意に選択することができる電子カメラの提供。【解決手段】表示モニタに表示されたカスタムメニューから撮影情報設定を選択して表示させる（Ｓ２０）。最初に、サムネイル表示画面に表示可能な撮影情報の個数を決定する（Ｓ３０）。次に、表示させたい撮影情報の種類を選択し（Ｓ４０）、決定する（Ｓ５０）。このように設定すると、サムネイル表示時には、サムネイル画像と選択した撮影情報とが重ねて表示される。その結果、画像の確認と同時に必要な撮影情報の確認を容易に行うことができる。【選択図】        図６
2004247906.tif 000002
【特許請求の範囲】
【請求項１】
撮像装置で撮像した撮影画像に複数の撮影情報を付与する電子カメラにおいて、
表示領域を複数の分割領域に分割し、複数の撮影画像の各縮小画像を前記表示領域の異なる分割領域に個別に再生表示する表示装置と、
前記複数の撮影情報から任意の撮影情報を選択する選択手段と、
前記縮小画像とともに、その縮小画像に対応する撮影画像の前記選択された撮影情報を示す表示を同一分割領域に表示させる表示制御手段とを備えたことを特徴とする電子カメラ。
【請求項２】
請求項１に記載の電子カメラにおいて、
前記表示領域の分割数を変えて前記縮小画像の表示可能数を変更する変更手段を備え、
前記表示可能数が大きいほど前記選択手段による前記撮影情報の選択可能上限数を小さくしたことを特徴とする電子カメラ。
【請求項３】
請求項１または２に記載の電子カメラにおいて、
前記撮影情報を示す表示は、前記撮影情報の種類を示すアイコンと、前記撮影情報の設定値とから構成されることを特徴とする電子カメラ。
【請求項４】
請求項３に記載の電子カメラにおいて、
前記撮影情報は露出補正データであって、前記アイコンとして露出補正マークを表示し、前記設定値として露出補正値を表示することを特徴とする電子カメラ。
【請求項５】
撮像装置で撮像した撮影画像に複数の撮影情報を付与する電子カメラにおいて、
撮影画像を再生表示する表示装置と、
前記複数の撮影情報から任意の撮影情報を選択する選択手段と、
前記選択手段により選択された撮影情報を示す表示を前記撮影画像とともに表示させる表示制御手段とを備えたことを特徴とする電子カメラ。
【発明の詳細な説明】
【０００１】
【発明の属する技術分野】
本発明は、再生表示機能を有する電子カメラに関する。
【０００２】
【従来の技術】
電子カメラにおいては、撮影した画像データは撮影条件等の撮影情報とともにメモリカードやＲＯＭ等の記録媒体に記録される。この撮影情報には、プロテクト設定情報などのように記録後に付加されるものもある。表示モニタを有する電子カメラでは、記録媒体に記録されている画像データを表示モニタに再生表示することができる構成になっている。再生表示形態としては、１画像のみが表示される１コマ再生表示や、複数画像の縮小画像が同時に表示されるサムネイル表示などがある（例えば、特許文献１参照。）。
【０００３】
【特許文献１】
特開平１１−３０８４９０号公報
【０００４】
【発明が解決しようとする課題】
しかしながら、従来の電子カメラでは、表示モニタに画像を再生表示する場合、画像だけが表示されたり、撮影情報に含まれる多数の情報の内の予め定められた特定の情報だけが画像とともに表示されるのが一般的であった。特に、サムネイル表示の場合には、１画像当たりの表示領域が小さいために、プロテクト設定のマークなどが表示される程度であった。
【０００５】
本発明の目的は、画像とともに表示される撮影情報を任意に選択することができる電子カメラを提供することにある。
【０００６】
【課題を解決するための手段】
（１）請求項１の発明は、撮像装置で撮像した撮影画像に複数の撮影情報を付与する電子カメラに適用され、表示領域を複数の分割領域に分割し、複数の撮影画像の各縮小画像を表示領域の異なる分割領域に個別に再生表示する表示装置と、複数の撮影情報から任意の撮影情報を選択する選択手段と、縮小画像とともに、その縮小画像に対応する撮影画像の選択された撮影情報を示す表示を同一分割領域に表示させる表示制御手段とを備えて上述の目的を達成する。
（２）請求項２の発明は、請求項１に記載の電子カメラにおいて、表示領域の分割数を変えて縮小画像の表示可能数を変更する変更手段を備え、表示可能数が大きいほど選択手段による撮影情報の選択可能上限数を小さくしたものである。
（３）請求項３の発明は、請求項１または２に記載の電子カメラにおいて、撮影情報を示す表示は、撮影情報の種類を示すアイコンと、撮影情報の設定値とから構成される。
（４）請求項４の発明は、請求項３に記載の電子カメラにおいて、撮影情報は露出補正データであって、アイコンとして露出補正マークを表示し、設定値として露出補正値を表示するようにしたものである。
（５）請求項５の発明は、撮像装置で撮像した撮影画像に複数の撮影情報を付与する電子カメラに適用され、撮影画像を再生表示する表示装置と、複数の撮影情報から任意の撮影情報を選択する選択手段と、選択手段により選択された撮影情報を示す表示を撮影画像とともに表示させる表示制御手段とを備えて上述の目的を達成する。
【０００７】
【発明の実施の形態】
以下、図を参照して本発明の実施の形態を説明する。図１は本発明による電子カメラの一実施の形態を示す図であり、（ａ）は電子カメラ１を上方から見た平面図、（ｂ）は電子カメラ１を後方から見た背面図である。図１（ａ）に示すように、電子カメラ１の上面には、セレクトダイヤル４、レリーズボタン５およびコマンドダイヤル６が設けられている。
【０００８】
セレクトダイヤル４はカメラ１の電源のオンオフおよびモード設定を選択する操作部であり、「ＲＥＣ」にセットすると電源がオン状態になって撮影モードに設定され、「ＰＬＡＹ」にセットする再生モードに設定され、「ＯＦＦ」に戻すと電源がオフ状態となる。撮影モードでは、撮影された画像データは撮影情報とともに後述するメモリカード１０等の記録媒体（不図示）に記録される。再生モードでは、記録された画像データに基づく再生画像が図１（ｂ）の表示モニタ３に表示される。表示モニタ３のオンオフ動作は、モニタボタン８のプッシュ操作により行われる。再生モード時にモニタボタン８を押して表示モニタ３をオン状態にすると、記録媒体に記録された画像データが読み出され、再生画像が表示モニタ３に表示される。また、撮影モード時に表示モニタ３がオン状態にされると、ＣＣＤ撮像素子により撮像されている被写体画像がリアルタイムに表示モニタに表示される。
【０００９】
コマンドダイヤル６は、シャッタスピードや露出補正段数の設定変更などに使用される。本実施の形態では、表示モニタ３の再生画像表示形態の切り換え、すなわち、通常の１画面表示、サムネイル表示の４画面表示および９画面表示のいずれかを選択する場合にも用いられる。画面表示切り換えの際には、図１（ｂ）のサムネイル表示ボタン７を押しながらコマンドダイヤル６を回転操作する。メニューボタン２を押すと、各種設定を行うためのメニュー画面が表示モニタ３に表示される。メニュー画面上における項目や機能の変更・決定等は、マルチセレクター１１の操作部１１ａ〜１１ｄを操作することにより行われる。
【００１０】
図２は、電子カメラ１の概略構成を示すブロック図である。電子カメラ１は、ＣＣＤ撮像素子１１０を有する撮像部１００、システムＬＳＩ２２０を中心とするデジタル回路部２００、画像再生部４００および操作部５００等により構成されている。ＣＣＤ撮像素子１１０は複数の画素が二次元的に配設されたエリア型の撮像素子であり、ＣＣＤ撮像素子１１０の撮像面上には撮影光学系１０１により被写体像が結像される。本実施の形態では、撮像素子としてＣＣＤ型の撮像素子を例に説明するが、ＭＯＳ型の撮像素子などでもよい。ＣＣＤ撮像素子１１０において被写体像は光電変換され、被写体像に応じた電気信号がＣＣＤ撮像素子１１０からアナログ信号処理回路１１１に入力される。
【００１１】
アナログ信号処理回路１１１はＡＧＣ（利得制御回路）やＣＤＳ（相関二重サンプリング回路）などを含んでおり、入力された画像信号に対してゲイン調整や雑音除去等のアナログ信号処理を行う。アナログ信号処理が施された画像信号はＡ／Ｄ変換回路１１２によってデジタル信号に変換され、デジタル回路部２００のシステムＬＳＩ２２０に入力される。ＴＧ（タイミングジェネレータ）回路１１３はＣＣＤ撮像素子１１０，アナログ信号処理回路１１１およびＡ／Ｄ変換回路１１２のそれぞれに動作タイミング信号を出力し、これらの間の動作タイミングを制御する。
【００１２】
デジタル回路部２００のシステムＬＳＩ２２０では、Ａ／Ｄ変換回路１１２から入力されたデジタル画像データに対して、画像サイズ変更、ホワイトバランス処理、ガンマ補正等のデジタル信号処理およびデータ圧縮処理などが行われる。プログラムメモリを構成するＲＯＭ２２１には、これらの処理に関するプログラムやカメラ全体の制御プログラムが記憶されている。図１（ａ）のセレクトダイヤル４が「ＲＥＣ」または「ＰＬＡＹ」にセットされるとカメラの電源がオンとなり、システムＬＳＩ２２０により制御プログラムが実行される。画像メモリを構成するＲＡＭ２２２は、撮像部１００から入力された画像データの一時記憶や各種画像処理や画像圧縮／伸張処理の際のバッファメモリとして利用される。
【００１３】
画像再生部４００には、上述した表示モニタ３と、その表示モニタ３の駆動制御を行うモニタコントローラ４４１とが設けられている。操作部５００には、上述したメニューボタン２，セレクトダイヤル４，レリーズボタン５，コマンドダイヤル６，サムネイル表示ボタン７，モニタボタン８およびマルチセレクター１１等が設けられている。
【００１４】
上述したように、再生モード時にモニタボタン８を押して表示モニタ３をオン状態にすると、メモリカード１０に記録された画像データが読み出され、その再生画像が表示モニタ３に表示される。通常は、最後に記録された画像データが読み出されて、図３のように再生画像Ａ１が表示モニタ３に表示される。ここで、図１（ｂ）のサムネイル表示ボタン７を押しながらコマンドダイヤル６を回転操作することにより、表示形態が図３の１画面表示から、サムネイル画像による４画面表示（図４）および９画面表示（図５）に切り換えることができる。このとき、コマンドダイヤル６の回転操作に応じて、表示形態は１画面表示→４画面表示→９画面表示→１画面表示→４画面表示のようにサイクリックに切り替わる。
【００１５】
図４に示す４画面表示では、表示モニタ３の表示領域は４つの分割領域３４１，３４２，３４３，３４４に分割される。各分割領域３４１〜３４４には、サムネイル画像ＳＡ１，ＳＡ２，ＳＡ３，ＳＢ１が表示されている。サムネイル画像ＳＡ１は撮影画像（本画像）の画素を間引くなどして生成された縮小画像であり、本実施の形態ではこの縮小画像のことをサムネイル画像と呼称する。図４の場合、１画面表示で表示されていた画像のサムネイル画像ＳＡ１が分割領域３４１に表示され、撮影順序を遡るようにサムネイル画像ＳＡ２，ＳＡ３，ＳＢ１の順に分割領域３４２，３４３，３４４に表示される。すなわち、撮影順にサムネイル画像を記すと、ＳＢ１→ＳＡ３→ＳＡ２→ＳＡ１となる。なお、サムネイル画像ＳＡ１，ＳＡ２，ＳＡ３は同一被写体２０に関して、異なる露出補正値で撮影を行ったものである。図３では、ハッチングの有無およびハッチングの種類によって露出補正値の違いを表現した。
【００１６】
図５は９画面表示を示したものであり、表示モニタ３の表示領域は９つの分割領域３９１〜３９９に分割される。図５に示す例では、メモリカード１０内には画像データが８つしか記録されていないため、分割領域３９１〜３９８に８つのサムネイル画像ＳＡ１〜ＳＡ３，ＳＢ１〜ＳＢ５が表示され、分割領域３９９には画像が表示されていない。サムネイル画像ＳＡ１〜ＳＡ３，ＳＢ１〜ＳＢ５を表示する順序は４画面表示の場合と同様であって、分割領域３９１から分割領域３９８に近づくにつれて撮影順序が遡る。すなわち、ＳＢ５→ＳＢ４→ＳＢ３→ＳＢ２→ＳＢ１→ＳＡ３→ＳＡ２→ＳＡ１の順に撮影された。サムネイル画像ＳＢ１〜ＳＢ５は露出に関してオートブラケッティング撮影されたものであって、同一被写体２１に対して５種類の露出補正値で連続的に撮影が行われている。この場合も、ハッチングの有無およびハッチングの種類によって露出補正値の違いを表した。
【００１７】
《撮影情報の選択表示について》
前述したように、画像データには露出補正やオートブラケッティングを含む種々の撮影情報が付与され、画像データとともにメモリカード１０に記録されている。本実施の形態では、図２の操作部５００を操作することによりこれらの撮影情報からいくつかを任意に選び、サムネイル表示の際には選んだ撮影情報を表す表示をサムネイル画像と重ねて表示するようにして。なお、図４，５では、撮影情報が選択されていないため撮影情報を示す表示は非表示状態となっている。
【００１８】
図６は、サムネイル画像と重ねて表示する撮影情報の設定手順を示す図である。ここでは、図３の１画面表示の状態からスタートする。
（ステップＳ１０）
図３に示す表示状態でメニューボタン２を押し、表示モニタ３に図７に示すようなメニュー画面を表示させる。このとき表示されるメニュー画面は、前回にメニュー画面の表示を終了した際に表示されていたメニュー画面と同じものとなる。図７に示した例では、前回に撮影メニューが表示されていたので、メニューボタン２を押すと撮影メニューがメニュー画面として表示される。
【００１９】
表示モニタ３の左端に縦に並んだ４つのアイコン２３〜２６はメニュー画面の種類を示しており、図７では撮影メニューを示すアイコン２３が選択されていて、領域２７には撮影メニューの各設定項目が縦に並んで表示されている。マルチセレクター１１の操作部１１ａまたは１１ｂを押すと、アイコン２３〜２６の選択状態が上下に移動しそれぞれのメニューに含まれる設定項目が領域２７に表示される。領域２８には各設定項目の設定状態が表示されている。例えば、「画質モード設定」はノーマル（ＮＯＲＭ）に設定されている。
【００２０】
図７のように撮影メニューを表示させた後にマルチセレクター１１の操作部１１ｃを押すと、最初の設定項目である「画質モード設定」が選択状態となる。設定項目の選択状態は、マルチセレクター１１の操作部１１ａまたは１１ｂを操作すると上下の設定項目に移動する。選択状態の移動の際には、操作部１１ａまたは１１ｂを１回押す毎に選択状態が上下に１段だけ移動し、操作部１１ａまたは１１ｂを押し続けると、選択状態は自動的に１段ずつ移動する。
【００２１】
（ステップＳ２０）
図７の状態でマルチセレクター１１の操作部１１ａまたは１１ｂを押してカスタムメニューを示すアイコン２４を選択し、図８に示すようなカスタムメニューを表示させる。領域２７にはカスタムメニューの各設定項目が縦に並んで表示され、領域２８には各設定項目の設定状態が表示されている。
【００２２】
（ステップＳ３０）
マルチセレクター１１の操作部１１ｃを押して「カスタム切換」を選択状態にした後に、操作部１１ｂを押して設定項目をスクロールさせ、選択状態を５０番目の設定項目である「サムネイル表示時の撮影データ変更」に移動させる。図８に示す表示例では、設定項目の内の０番から６番までしか表示されていないが、操作部１１ｄを押して選択状態を６番目以上に移動させると、設定項目がスクロールして６番目以上の設定項目が表示される。図９は設定項目「サムネイル表示時の撮影データ変更」が選択状態になった様子を示している。
【００２３】
（ステップＳ４０）
「サムネイル表示時の撮影データ変更」が選択状態になったならば、マルチセレクター１１の操作部１１ｃを押して図１０に示す表示個数設定画面を表示させる。表示個数設定画面の領域２９には、サムネイル表示の際の画面表示数とそのときの撮影情報表示数との組み合わせが表示されている。本実施の形態では、５種類の組み合わせが設定可能であって、（ａ）１段目の項目「４コマ  １」は４画面表示において各画面の撮影情報表示可能数を１とするもの、（ｂ）２段目の項目「４コマ  ２」は４画面表示において各画面の撮影情報表示可能数を２とするもの、（ｃ）３段目の項目「４コマ  ３」は４画面表示において各画面の撮影情報表示可能数を３とするもの、（ｄ）４段目の項目「９コマ  １」は９画面表示において各画面の撮影情報表示可能数を１とするもの、（ｅ）５段目の項目「９コマ  ２」は９画面表示において各画面の撮影情報表示可能数を２とするものである。なお、９画面表示の場合には１画面当たりの寸法が４画面表示の場合よりも小さくなるので、表示の見やすさを考慮して撮影情報表示可能数の上限を２とした。
【００２４】
ここでは、２段目の「４コマ  ２」に設定する場合について説明するが、本実施の形態の電子カメラでは、４画面表示の場合と９画面表示の場合とを別個に設定することができる。図１０に示す表示個数設定画面を表示させた状態では１段目の「４コマ  １」が選択状態となっているので、マルチセレクター１１の操作部１１ａまたは１１ｂを操作して選択状態を２段目の「４コマ  ２」に移動する。そして、マルチセレクター１１の操作部１１ｃを押して設定条件を「４コマ  ２」に決定する。
【００２５】
（ステップＳ５０）
操作部１１ｃを押して設定条件を「４コマ  ２」に決定すると、図１１に示す撮影情報設定画面が表示される。撮影情報設定画面が表示されると、図１１のように１番目の項目「露出モード」が選択状態となる。そして、マルチセレクター１１の操作部１１ａまたは１１ｂを操作して選択状態を所望の項目まで移動させる。図１２は５番目〜８番目の項目を表示した場合を示し、図１３は９番目〜１２番目の項目を表示した場合を示す。
【００２６】
（ステップＳ６０）
例えば、表示すべき撮影情報を「露出補正値」と「ＢＫＴ露出補正値（ブラケット露出補正値）」の２つとした場合は、まず、図１１に示す３番目の「露出補正値」に選択状態を移動し、マルチセレクター１１の操作部１１ｃを押して決定する。次いで、操作部１１ｂを押して選択状態を「ＢＫＴ露出補正値」に移動し、操作部１１ｃを押して決定する。
【００２７】
（ステップＳ７０）
ステップＳ６０までの処理で撮影情報の選択・決定が完了したので、図１のメニューボタン２を押すか、マルチセレクター１１の操作部１１ｄを押して以前の階層に戻ることにより図７のメニュー画面が表示される。
【００２８】
図１４および図１５は「露出補正値」と「ＢＫＴ露出補正値」とを選択した場合の画像表示例を示したものであり、それぞれ図４、５と同一のサムネイル画像が表示されている。なお、４画面表示の場合も９画面表示の場合も、表示可能な撮影情報の数は２とした。図４，５の表示例は表示すべき撮影情報が設定されていない場合を示したものであり、サムネイル画像のみが表示されている。一方、図１４，１５では、サムネイル画像に重ねて「露出補正値」に関する撮影情報を表す表示Ｍ１と、「ＢＫＴ露出補正値」に関する撮影情報を表す表示Ｍ２とが各分割画面に表示されている。
【００２９】
図１４、１５に示す例では、サムネイル画像ＳＡ１〜ＳＡ３は露出補正値を変えて撮影されたものなので、「露出補正値」に関する撮影情報表示Ｍ１のみが表示されている。表示Ｍ１は、露出補正撮影を表すアイコンＭ１１と露出補正値Ｍ１２とから成る。画像ＳＡ１の露出補正値は−０．７ＥＶであり、画像ＳＡ２およびＳＡ３の露出補正値はそれぞれ−０．５ＥＶ，＋０．５ＥＶである。
【００３０】
一方、サムネイル画像ＳＢ１〜ＳＢ５に関してはブラケット露出補正により撮影されたものであり、「ＢＫＴ露出補正値」に関する撮影情報表示Ｍ２のみが表示されている。表示Ｍ２は、ＢＫＴ露出補正撮影されたことを示すアイコンＭ２１と露出補正値Ｍ２２とから成る。画像ＳＢ１〜ＳＢ５は予め設定された５種類の露出補正値で連続的に撮影されたもので、画像ＳＢ１の露出補正値は＋１ＥＶ、画像ＳＢ２の露出補正値は＋０．５ＥＶ、画像ＳＢ３の露出補正値は±０ＥＶ、画像ＳＢ４の露出補正値は−０．５ＥＶ、画像ＳＢ５の露出補正値は−１ＥＶである。なお、図１４，１５では表示Ｍ１と表示Ｍ２とを画面内の同一領域に表示させたが、図１６に示すように異なる領域に表示するようにしても良い。
【００３１】
このように、露出補正値を変えて撮影した画像に対して露出補正値Ｍ１２，Ｍ２２を併せて表示すると、露出補正値の変化と画像の明るさの変化とが分かりやすく、サムネイル表示を見ることによって最適な露出補正値を簡単に認識することができる。図１７，１８は他の表示例を示す図である。図１７は、「４コマ  ３」の設定において、「露出補正値」に関する撮影情報表示Ｍ１、「ＢＫＴ露出補正値」に関する撮影情報表示Ｍ２、および図１１の「測光モード」に関する撮影情報表示Ｍ３を表示するように選択した場合である。
【００３２】
図１８は、上述した表示Ｍ１〜Ｍ３とは別に、画像データが削除禁止設定（プロテクト設定）がされていることを示すプロテクトマークＭ４を表示するようにしたものである。プロテクトマークＭ４は、「４コマ  ３」の設定で表示可能な３つの表示Ｍ１〜Ｍ３とは別個に設定されるものである。
【００３３】
上述したように、本実施の形態では、撮影者の撮影意図に応じた撮影情報を選択してサムネイル表示画面上に表示させることができるので、画像の確認と同時に必要な撮影情報の確認を容易に行うことができる。例えば、上述した表示例の他にも、サムネイル表示により各画像の撮影日時を確認したいような場合には、撮影日時を撮影情報として選択すれば良い。
【００３４】
一方、従来の場合には、サムネイル表示画面上に撮影情報が表示されることはほとんどなく、表示可能な場合であっても表示４のようなプロテクトマーク程度であって予め決められたものに限られていて、撮影者が自由に選択できるものはなかった。そのため、撮影情報を確認する場合には、図１９（ａ）のような１画面表示において操作部を操作し、その画像の撮影情報を図１９（ｂ）のように表示させる必要があった。複数の画像に関して撮影情報を表示させるためには、このような操作を各画像毎に行う必要があり、サムネイル表示画面上で確認できる本実施の形態に比べて非常に手間がかかるという欠点があった。
【００３５】
なお、図１４〜図１８ではアイコン表示Ｍ１１，Ｍ２１とともに数値表示Ｍ１２，Ｍ２２も行ったが、１画面当たりの面積が小さい場合には数値は見づらくなるので、アイコン表示だけにしても良い。上述した実施の形態では、サムネイル表示の場合の撮影情報表示について説明したが、１画面表示にも同様の表示を行っても良い。
【００３６】
以上説明した実施の形態と特許請求の範囲の要素との対応において、画像再生部４００は表示装置を、操作部５００は選択手段を、システムＬＳＩ２２０は表示制御手段を、サムネイル表示ボタン７は変更手段をそれぞれ構成する。なお、本発明の特徴を損なわなければ上記実施形態に限定されない。
【００３７】
【発明の効果】
以上説明したように、本発明によれば、撮影者の撮影意図に応じた撮影情報を選択して縮小画像とともに表示させることができるので、画像の確認と同時に必要な撮影情報の確認を容易に行うことができる。
【図面の簡単な説明】
【図１】本発明による電子カメラの一実施の形態を示す図であり、（ａ）は電子カメラ１を上方から見た平面図、（ｂ）は電子カメラ１を後方から見た背面図である。
【図２】電子カメラ１の概略構成を示すブロック図である。
【図３】１画面表示を示す図である。
【図４】４画面表示を示す図である。
【図５】９画面表示を示す図である。
【図６】撮影情報の設定手順を示すフローチャートである。
【図７】撮影メニューを示す図である。
【図８】カスタムメニューを示す図である。
【図９】カスタムメニューにおいて、「サムネイル表示時の撮影データ変更」の選択状態を示す図である。
【図１０】表示個数設定画面を示す図である。
【図１１】撮影情報設定画面を示す図である。
【図１２】撮影情報設定画面において、５番目の項目から８番目の項目を表示した図である。
【図１３】撮影情報設定画面において、９番目の項目から１２番目の項目を表示した図である。
【図１４】撮影情報として「露出補正値」と「ＢＫＴ露出補正値」とを選択した場合の、４画面表示における表示例を示す図である。
【図１５】撮影情報として「露出補正値」、「ＢＫＴ露出補正値」を選択した場合の、９画面表示における表示例を示す図である。
【図１６】撮影情報として「露出補正値」、「ＢＫＴ露出補正値」を選択した場合の、他の表示例を示す図である。
【図１７】撮影情報として「露出補正値」、「ＢＫＴ露出補正値」および「測光モード」を選択した場合の表示例を示す図である。
【図１８】プロテクトマークＭ４の表示例を示す図である。
【図１９】従来の表示例を示す図であり、（ａ）は画像表示を、（ｂ）は撮影情報表示を示す。
【符号の説明】
１  電子カメラ
２  メニューボタン
３  表示モニタ
４  セレクトダイヤル
５  レリーズボタン
６  コマンドダイヤル
７  サムネイル表示ボタン
８  モニタボタン
１１  マルチセレクター
１１ａ〜１１ｄ  操作部
２３〜２６  アイコン
２２０  システムＬＳＩ
３４１〜３４４，３９１〜３９９  分割領域
４００  画像再生部
５００  操作部
Ｍ１〜Ｍ４  撮影情報表示
Ｍ１１，Ｍ２１  アイコン
Ｍ１２，Ｍ２２  露出補正値
ＳＡ１〜ＳＡ３，ＳＢ１〜ＳＢ５  サムネイル画像
【図１】
2004247906.tif 000003
【図２】
2004247906.tif 000004
【図３】
2004247906.tif 000005
【図４】
2004247906.tif 000006
【図５】
2004247906.tif 000007
【図６】
2004247906.tif 000008
【図７】
2004247906.tif 000009
【図８】
2004247906.tif 000010
【図９】
2004247906.tif 000011
【図１０】
2004247906.tif 000012
【図１１】
2004247906.tif 000013
【図１２】
2004247906.tif 000014
【図１３】
2004247906.tif 000015
【図１４】
2004247906.tif 000016
【図１５】
2004247906.tif 000017
【図１６】
2004247906.tif 000018
【図１７】
2004247906.tif 000019
【図１８】
2004247906.tif 000020
【図１９】
2004247906.tif 000021